(57)【要約】【課題】本発明は自動車のヘッドライトのクリーニング装置を開示した。【解決手段】装置主体を含み、前記装置主体の中には回転チャンバが設置されており、前記回転チャンバの中には旋転ブロックが設置されており、前記旋転ブロックの中にはねじりばねチャンバが設置されており、前記ねじりばねチャンバの中にはねじりばねブロックが設置されており、前記ねじりばねブロックは前記回転チャンバの内壁と固定的に接続され、本装置を使うときに、本装置は車体の外に伸び、自動車のヘッドライトの保護カバーに水を吹き出してクリーニングし、自動車のヘッドライトの保護カバーをこすって洗い、その後に水を吹き出してクリーニングし、クリーニング効果を保障し、同時に本装置は使わないときに車の内部に収まり、車体外観の美観性に影響なし、使用を勧めする。【選択図】図１
2020142776.tif 000002
【特許請求の範囲】
【請求項１】
装置主体を含み、前記装置主体の中には回転チャンバが設置されており、前記回転チャンバの中には旋転ブロックが設置されており、前記旋転ブロックの中にはねじりばねチャンバが設置されており、前記ねじりばねチャンバの中にはねじりばねブロックが設置されており、前記ねじりばねブロックは前記回転チャンバの内壁と固定的に接続され、前記ねじりばねブロックと前記ねじりばねチャンバの間にはねじりばねが接続されており、前記旋転ブロックの中には伸縮チャンバが設置されており、前記伸縮チャンバの中には回転ブロックが設置されており、前記伸縮チャンバの中にはクリーニング装置が設置されており、前記伸縮チャンバの下側壁の中には移動装置が設置されており、前記伸縮チャンバの上側壁の中には封閉装置が設置されており、前記装置主体の一側の端面にはクリーニングする自動車のヘッドライトが設置されており、前記封閉装置には前記自動車のヘッドライトをクリーニングするスプレー装置が設置されることを特徴とする自動車のヘッドライトのクリーニング装置。
【請求項２】
前記クリーニング装置は前記回転ブロックの中に設置される推しチャンバを含み、前記推しチャンバの下側壁の中には上下に貫通のスロットが設置されており、前記スロットの中には支えブロックが設置されており、前記支えブロックの中には下方に開口した回転スロットが設置されており、前記回転スロットの上側壁の中にはクリーニングモーターが固定的に設置されており、前記クリーニングモーターの下端には廻りブロックが伝動できるように接続し、前記廻りブロックの両側端面にはクリーニングロッドが固定的に設置されており、前記クリーニングロッドの下端面にはブラシが設置されており、前記回転ブロックの一側の端面には推しロッドがヒンジで接続され、前記回転ブロックの上端面にはスイングロッドがヒンジで設置されており、前記推しチャンバの一側の内壁には昇降チャンバが設置されており、前記昇降チャンバの上側壁の中には翻転モーターが設置されており、前記翻転モーターの下端には昇降リードスクリューが伝動できるように接続され、前記昇降チャンバの中にスライドできるように前記昇降リードスクリューと螺合接続される昇降ブロックが設置されており、前記昇降ブロックは前記推しロッドの上端と固定的に接続され、、前記推しチャンバの上側壁の中には水平スライドチャンバが設置されており、前記水平スライドチャンバの中には水平リードスクリューが設置されており、前記水平スライドチャンバの中には前記水平リードスクリューと螺合接続される水平スライドブロックがスライドできるように設置されており、前記スイングロッドの上端は前記水平スライドブロックの下端とヒンジで接続され、前記水平スライドチャンバの一側の内壁において前記翻転モーターの上側には歯車チャンバが設置されており、前記翻転モーターの上端には第一傘歯車が伝動できるように接続され、前記水平リードスクリューの一端は前記歯車チャンバの中に入り、且つ前記水平リードスクリューの一端には前記第一傘歯車と噛合する第二傘歯車が固定的に接続されることを特徴とする請求項１に記載の自動車のヘッドライトのクリーニング装置。
【請求項３】
前記移動装置は前記伸縮チャンバの下側壁の中に設置される移動スロットを含み、前記回転ブロックの下端面には前記移動スロットに伸びている移動ブロックが固定的に設置されており、前記移動スロットの一側の内壁の中には移動モーターが固定的に設置されており、前記移動モーターの一端には前記移動ブロックと螺合される移動リードスクリューが伝動できるように接続されており、前記移動スロットの下側壁の中には推進スロットが設置されており、前記推進スロットの中には推進スライドブロックが設置されており、前記推進スライドブロックの一端と前記推進スロットの間には第一撥条が接続されており、前記推進スライドブロックの上端面には凸ブロックが接続されており、前記移動スロットの一側内壁の中には伝動チャンバが設置されており、前記移動リードスクリューのうち前記モーターから離れている一端には前記伝動チャンバの中に伸びている伝動軸が固定的に接続されており、前記伝動軸の一端には前記伝動チャンバの中で回転できる第三傘歯車が固定的に設置されており、前記第三傘歯車の下側には第四傘歯車が設置されており、前記第四傘歯車の一端には平歯車が同じ軸によって接続されており、その中に、前記回転チャンバの円弧状内壁には前記平歯車と噛合できるリングギヤが設置されており、前記伝動チャンバのうち前記移動スロットから離れている一側内壁の中には移動スライドスロットが設けられ、前記移動スライドスロットの中には移動スライドブロックがスライドできるように設置されており、前記移動スライドブロックの一側端面には前記第四傘歯車と前記第三傘歯車とを接続できる第五傘歯車が回転できるように接続され、前記伝動チャンバの上側壁の中には前記移動スライドスロットと同じのスリップスロットが設置されており、前記移動スライドブロックの一側の端面には前記スリップスロットの中で回転できる第一ラックが固定的に設置されており、前記スリップスロットの上側壁の中には回転スロットが設置されており、前記回転スロットの中には前記第一ラックと噛み合う歯車が設置されており、その中に、前記回転ブロックの下側壁には前記歯車と噛み合う第二ラックが設置されていることを特徴とする請求項１に記載の自動車のヘッドライトのクリーニング装置。
【請求項４】
前記封閉装置は前記伸縮チャンバの上側壁の中に設置される駆動チャンバを含み、前記駆動チャンバの一側内壁の中には駆動モーターが固定的に設置されており、前記駆動チャンバの中には駆動スライドブロックがスライドできるように設置されており、前記駆動モーターの一端には前記駆動スライドブロックとねじ山によって接続されるねじロッドが伝動できるように接続されており、前記駆動スライドブロックのうち前記駆動モーターから離れている一側において前記駆動チャンバの中には駆動プッシュブロックがスライドできるように設置されており、前記駆動プッシュブロックには円弧状溝が設置されており、前記駆動チャンバの上側壁には前記円弧状溝の中に伸びているガイドスライドブロックが固定的に設置されており、前記駆動プッシュブロックの下側端面には前記前記伸縮チャンバの開口を封閉できるシール板が固定的に設置されることを特徴とする請求項3に記載の自動車のヘッドライトのクリーニング装置。
【請求項５】
前記スプレー装置は前記旋転ブロックの円弧状面に固定的に設置される固定ブロックを含み、前記固定ブロックの中には上方に開口した第一パイプが設置されており、前記シール板のうち前記プッシュチャンバに近接する一側には前記第一パイプと繋がるスプレーヘッドが固定的に設置されており、前記回転チャンバの上側壁の中には第二パイプが設置されており、前記第二パイプの中にはスイッチが固定的に設置されることを特徴とする請求項１に記載の自動車のヘッドライトのクリーニング装置。
【発明の詳細な説明】
【技術分野】
【０００１】
本発明は自動車補修整備技術分野を取り上げて、具体的には自動車のヘッドライトのクリーニング装置である。
【背景技術】
【０００２】
自動車が走るまたは泊まる時に、時には灰一いは他の汚れが車輌の外に付着し、外見に影響あり、ところが、自動車のヘッドライトの保護カバーに大量の灰が付着すると、自動車のヘッドライトの照明効果に影響し、夜間運転にも極めて大きな災いが存在し、それで、本方法は車内に隠れて必要な時に車の外に伸びてヘッドライトの保護カバーにクリーニングし、必要のない場合に車内に隠れ、外見にも使用にも影響のない装置である。
【先行技術文献】
【特許文献】
【０００３】
【特許文献１】中国特許出願公開第号明細書
【発明の概要】
【発明が解決しようとする課題】
【０００４】
本発明の目的は自動車のヘッドライトのクリーニング装置を提供し、現在技術の以上の欠点を克服することである。
【課題を解決するための手段】
【０００５】
本発明の実施例の自動車のヘッドライトのクリーニング装置は、装置主体を含み、前記装置主体の中には回転チャンバが設置されており、前記回転チャンバの中には旋転ブロックが設置されており、前記旋転ブロックの中にはねじりばねチャンバが設置されており、前記ねじりばねチャンバの中にはねじりばねブロックが設置されており、前記ねじりばねブロックは前記回転チャンバの内壁と固定的に接続され、前記ねじりばねブロックと前記ねじりばねチャンバの間にはねじりばねが接続されており、前記旋転ブロックの中には伸縮チャンバが設置されており、前記伸縮チャンバの中には回転ブロックが設置されており、前記伸縮チャンバの中にはクリーニング装置が設置されており、前記伸縮チャンバの下側壁の中には移動装置が設置されており、前記伸縮チャンバの上側壁の中には封閉装置が設置されており、前記装置主体の一側の端面にはクリーニングする自動車のヘッドライトが設置されており、前記封閉装置には前記自動車のヘッドライトをクリーニングするスプレー装置が設置される。
【０００６】
その特徴は、前記クリーニング装置は前記回転ブロックの中に設置される推しチャンバを含み、前記推しチャンバの下側壁の中には上下に貫通のスロットが設置されており、前記スロットの中には支えブロックが設置されており、前記支えブロックの中には下方に開口した回転スロットが設置されており、前記回転スロットの上側壁の中にはクリーニングモーターが固定的に設置されており、前記クリーニングモーターの下端には廻りブロックが伝動できるように接続し、前記廻りブロックの両側端面にはクリーニングロッドが固定的に設置されており、前記クリーニングロッドの下端面にはブラシが設置されており、前記回転ブロックの一側の端面には推しロッドがヒンジで接続され、前記回転ブロックの上端面にはスイングロッドがヒンジで設置されており、前記推しチャンバの一側の内壁には昇降チャンバが設置されており、前記昇降チャンバの上側壁の中には翻転モーターが設置されており、前記翻転モーターの下端には昇降リードスクリューが伝動できるように接続され、前記昇降チャンバの中にスライドできるように前記昇降リードスクリューと螺合接続される昇降ブロックが設置されており、前記昇降ブロックは前記推しロッドの上端と固定的に接続され、、前記推しチャンバの上側壁の中には水平スライドチャンバが設置されており、前記水平スライドチャンバの中には水平リードスクリューが設置されており、前記水平スライドチャンバの中には前記水平リードスクリューと螺合接続される水平スライドブロックがスライドできるように設置されており、前記スイングロッドの上端は前記水平スライドブロックの下端とヒンジで接続され、前記水平スライドチャンバの一側の内壁において前記翻転モーターの上側には歯車チャンバが設置されており、前記翻転モーターの上端には第一傘歯車が伝動できるように接続され、前記水平リードスクリューの一端は前記歯車チャンバの中に入り、且つ前記水平リードスクリューの一端には前記第一傘歯車と噛合する第二傘歯車が固定的に接続される。
【０００７】
その特徴は、前記移動装置は前記伸縮チャンバの下側壁の中に設置される移動スロットを含み、前記回転ブロックの下端面には前記移動スロットに伸びている移動ブロックが固定的に設置されており、前記移動スロットの一側の内壁の中には移動モーターが固定的に設置されており、前記移動モーターの一端には前記移動ブロックと螺合される移動リードスクリューが伝動できるように接続されており、前記移動スロットの下側壁の中には推進スロットが設置されており、前記推進スロットの中には推進スライドブロックが設置されており、前記推進スライドブロックの一端と前記推進スロットの間には第一撥条が接続されており、前記推進スライドブロックの上端面には凸ブロックが接続されており、前記移動スロットの一側内壁の中には伝動チャンバが設置されており、前記移動リードスクリューのうち前記モーターから離れている一端には前記伝動チャンバの中に伸びている伝動軸が固定的に接続されており、前記伝動軸の一端には前記伝動チャンバの中で回転できる第三傘歯車が固定的に設置されており、前記第三傘歯車の下側には第四傘歯車が設置されており、前記第四傘歯車の一端には平歯車が同じ軸によって接続されており、その中に、前記回転チャンバの円弧状内壁には前記平歯車と噛合できるリングギヤが設置されており、前記伝動チャンバのうち前記移動スロットから離れている一側内壁の中には移動スライドスロットが設けられ、前記移動スライドスロットの中には移動スライドブロックがスライドできるように設置されており、前記移動スライドブロックの一側端面には前記第四傘歯車と前記第三傘歯車とを接続できる第五傘歯車が回転できるように接続され、前記伝動チャンバの上側壁の中には前記移動スライドスロットと同じのスリップスロットが設置されており、前記移動スライドブロックの一側の端面には前記スリップスロットの中で回転できる第一ラックが固定的に設置されており、前記スリップスロットの上側壁の中には回転スロットが設置されており、前記回転スロットの中には前記第一ラックと噛み合う歯車が設置されており、その中に、前記回転ブロックの下側壁には前記歯車と噛み合う第二ラックが設置されており。
【０００８】
その特徴は、前記封閉装置は前記伸縮チャンバの上側壁の中に設置される駆動チャンバを含み、前記駆動チャンバの一側内壁の中には駆動モーターが固定的に設置されており、前記駆動チャンバの中には駆動スライドブロックがスライドできるように設置されており、前記駆動モーターの一端には前記駆動スライドブロックとねじ山によって接続されるねじロッドが伝動できるように接続されており、前記駆動スライドブロックのうち前記駆動モーターから離れている一側において前記駆動チャンバの中には駆動プッシュブロックがスライドできるように設置されており、前記駆動プッシュブロックには円弧状溝が設置されており、前記駆動チャンバの上側壁には前記円弧状溝の中に伸びているガイドスライドブロックが固定的に設置されており、前記駆動プッシュブロックの下側端面には前記前記伸縮チャンバの開口を封閉できるシール板が固定的に設置される。
【０００９】
その特徴は、前記スプレー装置は前記旋転ブロックの円弧状面に固定的に設置される固定ブロックを含み、前記固定ブロックの中には上方に開口した第一パイプが設置されており、前記シール板のうち前記プッシュチャンバに近接する一側には前記第一パイプと繋がるスプレーヘッドが固定的に設置されており、前記回転チャンバの上側壁の中には第二パイプが設置されており、前記第二パイプの中にはスイッチが固定的に設置される。
【発明の効果】
【００１０】
本発明の有益な効果は下記の通りである：
【００１１】
本装置を使うときに、本装置は車体の外に伸び、自動車のヘッドライトの保護カバーに水を吹き出してクリーニングし、自動車のヘッドライトの保護カバーをこすって洗い、その後に水を吹き出してクリーニングし、クリーニング効果を保障し、同時に本装置は使わないときに車の内部に収まり、車体外観の美観性に影響なし、使用を勧めする。
【図面の簡単な説明】
【００１２】
【図１】図１は本発明の自動車のヘッドライトのクリーニング装置の内部の整体構成模式図であり；
【図２】図２は図１の“A”の拡大模式図であり；
【図３】図３は図１の“B”の拡大模式図であり；
【図４】図４は図１の駆動ブロックの展開模式図である。
【発明を実施するための形態】
【００１３】
以下の図１−４を交えて本発明について詳しく説明する、便利に叙述するように、現在は後文に出る方位を下記の通りに規定する：後文に出る上下左右前後方向は図1本体の投影関係の上下左右前後方向と一致する。
【００１４】
図1-4を参考し、本発明の実施例の自動車のヘッドライトのクリーニング装置は、装置主体11を含み、前記装置主体11の中には回転チャンバ21が設置されており、前記回転チャンバ21の中には旋転ブロック22が設置されており、前記旋転ブロック22の中にはねじりばねチャンバ61が設置されており、前記ねじりばねチャンバ61の中にはねじりばねブロック62が設置されており、前記ねじりばねブロック62は前記回転チャンバ21の内壁と固定的に接続され、前記ねじりばねブロック62と前記ねじりばねチャンバ61の間にはねじりばね59が接続されており、前記旋転ブロック22の中には伸縮チャンバ23が設置されており、前記伸縮チャンバ23の中には回転ブロック53が設置されており、前記伸縮チャンバ23の中にはクリーニング装置202が設置されており、前記伸縮チャンバ23の下側壁の中には移動装置203が設置されており、前記伸縮チャンバ23の上側壁の中には封閉装置204が設置されており、前記装置主体11の一側の端面にはクリーニングする自動車のヘッドライト42が設置されており、前記封閉装置204には前記自動車のヘッドライト42をクリーニングするスプレー装置201が設置される。
【００１５】
有益なように、前記クリーニング装置202は前記回転ブロック53の中に設置される推しチャンバ99を含み、前記推しチャンバ99の下側壁の中には上下に貫通のスロット52が設置されており、前記スロット52の中には支えブロック43が設置されており、前記支えブロック43の中には下方に開口した回転スロット44が設置されており、前記回転スロット44の上側壁の中にはクリーニングモーター47が固定的に設置されており、前記クリーニングモーター47の下端には廻りブロック46が伝動できるように接続し、前記廻りブロック46の両側端面にはクリーニングロッド45が固定的に設置されており、前記クリーニングロッド45の下端面にはブラシ48が設置されており、前記回転ブロック53の一側の端面には推しロッド35がヒンジで接続され、前記回転ブロック53の上端面にはスイングロッド38がヒンジで設置されており、前記推しチャンバ99の一側の内壁には昇降チャンバ33が設置されており、前記昇降チャンバ33の上側壁の中には翻転モーター32が設置されており、前記翻転モーター32の下端には昇降リードスクリュー36が伝動できるように接続され、前記昇降チャンバ33の中にスライドできるように前記昇降リードスクリュー36と螺合接続される昇降ブロック34が設置されており、前記昇降ブロック34は前記推しロッド35の上端と固定的に接続され、、前記推しチャンバ99の上側壁の中には水平スライドチャンバ39が設置されており、前記水平スライドチャンバ39の中には水平リードスクリュー41が設置されており、前記水平スライドチャンバ39の中には前記水平リードスクリュー41と螺合接続される水平スライドブロック37がスライドできるように設置されており、前記スイングロッド38の上端は前記水平スライドブロック37の下端とヒンジで接続され、前記水平スライドチャンバ39の一側の内壁において前記翻転モーター32の上側には歯車チャンバ24が設置されており、前記翻転モーター32の上端には第一傘歯車31が伝動できるように接続され、前記水平リードスクリュー41の一端は前記歯車チャンバ24の中に入り、且つ前記水平リードスクリュー41の一端には前記第一傘歯車31と噛合する第二傘歯車29が固定的に接続される。
【００１６】
有益なように、前記移動装置203は前記伸縮チャンバ23の下側壁の中に設置される移動スロット54を含み、前記回転ブロック53の下端面には前記移動スロット54に伸びている移動ブロック57が固定的に設置されており、前記移動スロット54の一側の内壁の中には移動モーター58が固定的に設置されており、前記移動モーター58の一端には前記移動ブロック57と螺合される移動リードスクリュー55が伝動できるように接続されており、前記移動スロット54の下側壁の中には推進スロット66が設置されており、前記推進スロット66の中には推進スライドブロック63が設置されており、前記推進スライドブロック63の一端と前記推進スロット66の間には第一撥条65が接続されており、前記推進スライドブロック63の上端面には凸ブロック64が接続されており、前記移動スロット54の一側内壁の中には伝動チャンバ73が設置されており、前記移動リードスクリュー55のうち前記モーター58から離れている一端には前記伝動チャンバ73の中に伸びている伝動軸67が固定的に接続されており、前記伝動軸67の一端には前記伝動チャンバ73の中で回転できる第三傘歯車76が固定的に設置されており、前記第三傘歯車76の下側には第四傘歯車78が設置されており、前記第四傘歯車78の一端には平歯車が同じ軸によって接続されており、その中に、前記回転チャンバ21の円弧状内壁には前記平歯車79と噛合できるリングギヤ81が設置されており、前記伝動チャンバ７３のうち前記移動スロット54から離れている一側内壁の中には移動スライドスロット74が設けられ、前記移動スライドスロット74の中には移動スライドブロック75がスライドできるように設置されており、前記移動スライドブロック75の一側端面には前記第四傘歯車78と前記第三傘歯車76とを接続できる第五傘歯車77が回転できるように接続され、前記伝動チャンバ73の上側壁の中には前記移動スライドスロット74と同じのスリップスロット68が設置されており、前記移動スライドブロック75の一側の端面には前記スリップスロット68の中で回転できる第一ラック72が固定的に設置されており、前記スリップスロット68の上側壁の中には回転スロット69が設置されており、前記回転スロット69の中には前記第一ラック72と噛み合う歯車71が設置されており、その中に、前記回転ブロック53の下側壁には前記歯車71と噛み合う第二ラック56が設置されており。
【００１７】
有益なように、前記封閉装置204は前記伸縮チャンバ23の上側壁の中に設置される駆動チャンバ83を含み、前記駆動チャンバ83の一側内壁の中には駆動モーター82が固定的に設置されており、前記駆動チャンバ83の中には駆動スライドブロック85がスライドできるように設置されており、前記駆動モーター82の一端には前記駆動スライドブロック85とねじ山によって接続されるねじロッド84が伝動できるように接続されており、前記駆動スライドブロック85のうち前記駆動モーター82から離れている一側において前記駆動チャンバ83の中には駆動プッシュブロック86がスライドできるように設置されており、前記駆動プッシュブロック86には円弧状溝87が設置されており、前記駆動チャンバ83の上側壁には前記円弧状溝87の中に伸びているガイドスライドブロック88が固定的に設置されており、前記駆動プッシュブロック86の下側端面には前記前記伸縮チャンバ23の開口を封閉できるシール板49が固定的に設置される。
【００１８】
有益なように、前記スプレー装置201は前記旋転ブロック22の円弧状面に固定的に設置される固定ブロック27を含み、前記固定ブロック27の中には上方に開口した第一パイプ28が設置されており、前記シール板49のうち前記プッシュチャンバ99に近接する一側には前記第一パイプ28と繋がるスプレーヘッド51が固定的に設置されており、前記回転チャンバ21の上側壁の中には第二パイプ26が設置されており、前記第二パイプ26の中にはスイッチ25が固定的に設置される。
【００１９】
初期状態に、推進スライドブロック63が最大限度に回転チャンバ21の中に移動し、支えブロック43が開口溝52の中に水平的に置かれ、シール板49が伸縮チャンバ23の開口を封じ、第五傘歯車77が第四傘歯車78及び第三傘歯車76との噛合から外れる。
【００２０】
本装置の動作手順：駆動モーター82が起動し、ねじロッド84によって、駆動ブロック85を推して移動させ、駆動プッシュブロック86によって、シール板49を推して伸縮チャンバ23の開口の外にスライドさせ、ガイドスライドブロック88の案内によって移動している駆動プッシュブロック86を回転連動させ、これによりシール板49を回転連動させてスプレーヘッド51を上側に回転連動させ、この時スイッチ25が開き、自動車ヘッドライト42に水を吹き出し、同時に移動モーター58が開き、移動リードスクリュー55及び移動ブロック57によってブロック53を伸縮チャンバ23の開口の外に移動連動させ、移動ブロック57が移動する過程中に凸ブロック64を押し動かして移動させ、第二ラック56によって、歯車71を回転連動させ、第一ラック72によって移動スライドブロック75を移動スロット54の一側へ移動連動させ、第五傘歯車77を第三傘歯車76及び第四傘歯車78に噛合連動させ、移動リードスクリュー55が回転するときに回転軸67によって第三傘歯車76を回転連動させ、第五傘歯車77によって平歯車79を回転連動させ、旋転ブロック22を回転チャンバ21の中で回転連動させ、移動ブロック57がスライドして回転軸67に到着した時、回転軸67は移動ブロック57とスライドできるように接続させ、移動ブロック57は移動しなくなり、移動リードスクリュー55は回転し続き、旋転ブロック22を回転チャンバ21の中で回転連動させ、ブラシ48を上側に回転連動させ、この時、翻転モーター32が起動し、昇降ブロック34及び水平スライドブロック37によって支えブロック43を開口溝52の開口の外に移動して翻転連動させ、ブラシ48が最上側に回転する時に、ブラシ48は自動車ヘッドライト42の一側端面と当接し、この時クリーニングモーター47が回転し、ブラシ48によって自動車ヘッドライト42をクリーニングでき、翻転モーター32が反転し、支えブロック43を収納でき、移動モーター58が反転し、移動ブロック57を第一撥条65の推力によって改めて移動リードスクリュー55にねじ山によって接続し、第二ラック56が移動する過程に、第三傘歯車76及び第四傘歯車78との接続から第五傘歯車77を離脱させ、この時、ねじりばね59の弾力によって、旋転ブロック22が初期状態に反転し、駆動モーター82が回転して駆動プッシュブロック86を移動連動させてシール板49を初期状態に反転連動させる。
【００２１】
本発明の有益の効果は：
【００２２】
本装置を使うときに、本装置は車体の外に伸び、自動車のヘッドライトの保護カバーに水を吹き出してクリーニングし、自動車のヘッドライトの保護カバーをこすって洗い、その後に水を吹き出してクリーニングし、クリーニング効果を保障し、同時に本装置は使わないときに車の内部に収まり、車体外観の美観性に影響なし、使用を勧めする。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020142776.tif 000003
【図２】
2020142776.tif 000004
【図３】
2020142776.tif 000005
【図４】
2020142776.tif 000006
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
装置主体を含み、前記装置主体の中には回転チャンバが設置されており、前記回転チャンバの中には旋転ブロックが設置されており、前記旋転ブロックの中にはねじりばねチャンバが設置されており、前記ねじりばねチャンバの中にはねじりばねブロックが設置されており、前記ねじりばねブロックは前記回転チャンバの内壁と固定的に接続され、前記ねじりばねブロックと前記ねじりばねチャンバの間にはねじりばねが接続されており、前記旋転ブロックの中には伸縮チャンバが設置されており、前記伸縮チャンバの中には回転ブロックが設置されており、前記伸縮チャンバの中にはクリーニング装置が設置されており、前記伸縮チャンバの下側壁の中には移動装置が設置されており、前記伸縮チャンバの上側壁の中には封閉装置が設置されており、前記装置主体の一側の端面にはクリーニングする自動車のヘッドライトが設置されており、前記封閉装置には前記自動車のヘッドライトをクリーニングするスプレー装置が設置され、
前記クリーニング装置は前記回転ブロックの中に設置される推しチャンバを含み、前記推しチャンバの下側壁の中には上下に貫通のスロットが設置されており、前記スロットの中には支えブロックが設置されており、前記支えブロックの中には下方に開口した回転スロットが設置されており、前記回転スロットの上側壁の中にはクリーニングモーターが固定的に設置されており、前記クリーニングモーターの下端には廻りブロックが伝動できるように接続し、前記廻りブロックの両側端面にはクリーニングロッドが固定的に設置されており、前記クリーニングロッドの下端面にはブラシが設置されており、前記支えブロックの一側の端面には推しロッドがヒンジで接続され、前記支えブロックの上端面にはスイングロッドがヒンジで設置されており、前記推しチャンバの一側の内壁には昇降チャンバが設置されており、前記昇降チャンバの上側壁の中には翻転モーターが設置されており、前記翻転モーターの下端には昇降リードスクリューが伝動できるように接続され、前記昇降チャンバの中にスライドできるように前記昇降リードスクリューと螺合接続される昇降ブロックが設置されており、前記昇降ブロックは前記推しロッドの上端と固定的に接続され、、前記推しチャンバの上側壁の中には水平スライドチャンバが設置されており、前記水平スライドチャンバの中には水平リードスクリューが設置されており、前記水平スライドチャンバの中には前記水平リードスクリューと螺合接続される水平スライドブロックがスライドできるように設置されており、前記スイングロッドの上端は前記水平スライドブロックの下端とヒンジで接続され、前記水平スライドチャンバの一側の内壁において前記翻転モーターの上側には歯車チャンバが設置されており、前記翻転モーターの上端には第一傘歯車が伝動できるように接続され、前記水平リードスクリューの一端は前記歯車チャンバの中に入り、且つ前記水平リードスクリューの一端には前記第一傘歯車と噛合する第二傘歯車が固定的に接続され、
前記移動装置は前記伸縮チャンバの下側壁の中に設置される移動スロットを含み、前記回転ブロックの下端面には前記移動スロットに伸びている移動ブロックが固定的に設置されており、前記移動スロットの一側の内壁の中には移動モーターが固定的に設置されており、前記移動モーターの一端には前記移動ブロックと螺合される移動リードスクリューが伝動できるように接続されており、前記移動スロットの下側壁の中には推進スロットが設置されており、前記推進スロットの中には推進スライドブロックが設置されており、前記推進スライドブロックの一端と前記推進スロットの間には第一撥条が接続されており、前記推進スライドブロックの上端面には凸ブロックが接続されており、前記移動スロットの一側内壁の中には伝動チャンバが設置されており、前記移動リードスクリューのうち前記モーターから離れている一端には前記伝動チャンバの中に伸びている伝動軸が固定的に接続されており、前記伝動軸の一端には前記伝動チャンバの中で回転できる第三傘歯車が固定的に設置されており、前記第三傘歯車の下側には第四傘歯車が設置されており、前記第四傘歯車の一端には平歯車が同じ軸によって接続されており、その中に、前記回転チャンバの円弧状内壁には前記平歯車と噛合できるリングギヤが設置されており、前記伝動チャンバのうち前記移動スロットから離れている一側内壁の中には移動スライドスロットが設けられ、前記移動スライドスロットの中には移動スライドブロックがスライドできるように設置されており、前記移動スライドブロックの一側端面には前記第四傘歯車と前記第三傘歯車とを接続できる第五傘歯車が回転できるように接続され、前記伝動チャンバの上側壁の中には前記移動スライドスロットと同じのスリップスロットが設置されており、前記移動スライドブロックの一側の端面には前記スリップスロットの中で回転できる第一ラックが固定的に設置されており、前記スリップスロットの上側壁の中には回転スロットが設置されており、前記回転スロットの中には前記第一ラックと噛み合う歯車が設置されており、その中に、前記回転ブロックの下側壁には前記歯車と噛み合う第二ラックが設置され、
前記封閉装置は前記伸縮チャンバの上側壁の中に設置される駆動チャンバを含み、前記駆動チャンバの一側内壁の中には駆動モーターが固定的に設置されており、前記駆動チャンバの中には駆動スライドブロックがスライドできるように設置されており、前記駆動モーターの一端には前記駆動スライドブロックとねじ山によって接続されるねじロッドが伝動できるように接続されており、前記駆動スライドブロックのうち前記駆動モーターから離れている一側において前記駆動チャンバの中には駆動プッシュブロックがスライドできるように設置されており、前記駆動プッシュブロックには円弧状溝が設置されており、前記駆動チャンバの上側壁には前記円弧状溝の中に伸びているガイドスライドブロックが固定的に設置されており、前記駆動プッシュブロックの下側端面には前記前記伸縮チャンバの開口を封閉できるシール板が固定的に設置され、
前記スプレー装置は前記旋転ブロックの円弧状面に固定的に設置される固定ブロックを含み、前記固定ブロックの中には上方に開口した第一パイプが設置されており、前記シール板のうち前記プッシュチャンバに近接する一側には前記第一パイプと繋がるスプレーヘッドが固定的に設置されており、前記回転チャンバの上側壁の中には第二パイプが設置されており、前記第二パイプの中にはスイッチが固定的に設置され、
前記翻転モーターが起動し、前記昇降ブロック及び前記水平スライドブロックによって前記支えブロックを前記開口溝の開口の外に移動して翻転連動させ、前記ブラシが最上側に回転する時に、前記ブラシは前記自動車ヘッドライトの一側端面と当接し、この時前記クリーニングモーターが回転し、前記ブラシによって前記自動車ヘッドライトをクリーニングできることを特徴とする自動車のヘッドライトのクリーニング装置。 
【手続補正２】
【補正対象書類名】明細書
【補正対象項目名】全文
【補正方法】変更
【補正の内容】
【発明の詳細な説明】
【技術分野】
【０００１】
本発明は自動車補修整備技術分野を取り上げて、具体的には自動車のヘッドライトのクリーニング装置である。
【背景技術】
【０００２】
自動車が走るまたは泊まる時に、時には灰一いは他の汚れが車輌の外に付着し、外見に影響あり、ところが、自動車のヘッドライトの保護カバーに大量の灰が付着すると、自動車のヘッドライトの照明効果に影響し、夜間運転にも極めて大きな災いが存在し、それで、本方法は車内に隠れて必要な時に車の外に伸びてヘッドライトの保護カバーにクリーニングし、必要のない場合に車内に隠れ、外見にも使用にも影響のない装置である。
【先行技術文献】
【特許文献】
【０００３】
【特許文献１】中国特許出願公開第号明細書
【発明の概要】
【発明が解決しようとする課題】
【０００４】
本発明の目的は自動車のヘッドライトのクリーニング装置を提供し、現在技術の以上の欠点を克服することである。
【課題を解決するための手段】
【０００５】
本発明の実施例の自動車のヘッドライトのクリーニング装置は、装置主体を含み、前記装置主体の中には回転チャンバが設置されており、前記回転チャンバの中には旋転ブロックが設置されており、前記旋転ブロックの中にはねじりばねチャンバが設置されており、前記ねじりばねチャンバの中にはねじりばねブロックが設置されており、前記ねじりばねブロックは前記回転チャンバの内壁と固定的に接続され、前記ねじりばねブロックと前記ねじりばねチャンバの間にはねじりばねが接続されており、前記旋転ブロックの中には伸縮チャンバが設置されており、前記伸縮チャンバの中には回転ブロックが設置されており、前記伸縮チャンバの中にはクリーニング装置が設置されており、前記伸縮チャンバの下側壁の中には移動装置が設置されており、前記伸縮チャンバの上側壁の中には封閉装置が設置されており、前記装置主体の一側の端面にはクリーニングする自動車のヘッドライトが設置されており、前記封閉装置には前記自動車のヘッドライトをクリーニングするスプレー装置が設置される。
【０００６】
その特徴は、前記クリーニング装置は前記回転ブロックの中に設置される推しチャンバを含み、前記推しチャンバの下側壁の中には上下に貫通のスロットが設置されており、前記スロットの中には支えブロックが設置されており、前記支えブロックの中には下方に開口した回転スロットが設置されており、前記回転スロットの上側壁の中にはクリーニングモーターが固定的に設置されており、前記クリーニングモーターの下端には廻りブロックが伝動できるように接続し、前記廻りブロックの両側端面にはクリーニングロッドが固定的に設置されており、前記クリーニングロッドの下端面にはブラシが設置されており、前記支えブロックの一側の端面には推しロッドがヒンジで接続され、前記支えブロックの上端面にはスイングロッドがヒンジで設置されており、前記推しチャンバの一側の内壁には昇降チャンバが設置されており、前記昇降チャンバの上側壁の中には翻転モーターが設置されており、前記翻転モーターの下端には昇降リードスクリューが伝動できるように接続され、前記昇降チャンバの中にスライドできるように前記昇降リードスクリューと螺合接続される昇降ブロックが設置されており、前記昇降ブロックは前記推しロッドの上端と固定的に接続され、、前記推しチャンバの上側壁の中には水平スライドチャンバが設置されており、前記水平スライドチャンバの中には水平リードスクリューが設置されており、前記水平スライドチャンバの中には前記水平リードスクリューと螺合接続される水平スライドブロックがスライドできるように設置されており、前記スイングロッドの上端は前記水平スライドブロックの下端とヒンジで接続され、前記水平スライドチャンバの一側の内壁において前記翻転モーターの上側には歯車チャンバが設置されており、前記翻転モーターの上端には第一傘歯車が伝動できるように接続され、前記水平リードスクリューの一端は前記歯車チャンバの中に入り、且つ前記水平リードスクリューの一端には前記第一傘歯車と噛合する第二傘歯車が固定的に接続される。
【０００７】
その特徴は、前記移動装置は前記伸縮チャンバの下側壁の中に設置される移動スロットを含み、前記回転ブロックの下端面には前記移動スロットに伸びている移動ブロックが固定的に設置されており、前記移動スロットの一側の内壁の中には移動モーターが固定的に設置されており、前記移動モーターの一端には前記移動ブロックと螺合される移動リードスクリューが伝動できるように接続されており、前記移動スロットの下側壁の中には推進スロットが設置されており、前記推進スロットの中には推進スライドブロックが設置されており、前記推進スライドブロックの一端と前記推進スロットの間には第一撥条が接続されており、前記推進スライドブロックの上端面には凸ブロックが接続されており、前記移動スロットの一側内壁の中には伝動チャンバが設置されており、前記移動リードスクリューのうち前記モーターから離れている一端には前記伝動チャンバの中に伸びている伝動軸が固定的に接続されており、前記伝動軸の一端には前記伝動チャンバの中で回転できる第三傘歯車が固定的に設置されており、前記第三傘歯車の下側には第四傘歯車が設置されており、前記第四傘歯車の一端には平歯車が同じ軸によって接続されており、その中に、前記回転チャンバの円弧状内壁には前記平歯車と噛合できるリングギヤが設置されており、前記伝動チャンバのうち前記移動スロットから離れている一側内壁の中には移動スライドスロットが設けられ、前記移動スライドスロットの中には移動スライドブロックがスライドできるように設置されており、前記移動スライドブロックの一側端面には前記第四傘歯車と前記第三傘歯車とを接続できる第五傘歯車が回転できるように接続され、前記伝動チャンバの上側壁の中には前記移動スライドスロットと同じのスリップスロットが設置されており、前記移動スライドブロックの一側の端面には前記スリップスロットの中で回転できる第一ラックが固定的に設置されており、前記スリップスロットの上側壁の中には回転スロットが設置されており、前記回転スロットの中には前記第一ラックと噛み合う歯車が設置されており、その中に、前記回転ブロックの下側壁には前記歯車と噛み合う第二ラックが設置されており。
【０００８】
その特徴は、前記封閉装置は前記伸縮チャンバの上側壁の中に設置される駆動チャンバを含み、前記駆動チャンバの一側内壁の中には駆動モーターが固定的に設置されており、前記駆動チャンバの中には駆動スライドブロックがスライドできるように設置されており、前記駆動モーターの一端には前記駆動スライドブロックとねじ山によって接続されるねじロッドが伝動できるように接続されており、前記駆動スライドブロックのうち前記駆動モーターから離れている一側において前記駆動チャンバの中には駆動プッシュブロックがスライドできるように設置されており、前記駆動プッシュブロックには円弧状溝が設置されており、前記駆動チャンバの上側壁には前記円弧状溝の中に伸びているガイドスライドブロックが固定的に設置されており、前記駆動プッシュブロックの下側端面には前記前記伸縮チャンバの開口を封閉できるシール板が固定的に設置される。
【０００９】
その特徴は、前記スプレー装置は前記旋転ブロックの円弧状面に固定的に設置される固定ブロックを含み、前記固定ブロックの中には上方に開口した第一パイプが設置されており、前記シール板のうち前記プッシュチャンバに近接する一側には前記第一パイプと繋がるスプレーヘッドが固定的に設置されており、前記回転チャンバの上側壁の中には第二パイプが設置されており、前記第二パイプの中にはスイッチが固定的に設置される。
【発明の効果】
【００１０】
本発明の有益な効果は下記の通りである：
【００１１】
本装置を使うときに、本装置は車体の外に伸び、自動車のヘッドライトの保護カバーに水を吹き出してクリーニングし、自動車のヘッドライトの保護カバーをこすって洗い、その後に水を吹き出してクリーニングし、クリーニング効果を保障し、同時に本装置は使わないときに車の内部に収まり、車体外観の美観性に影響なし、使用を勧めする。
【図面の簡単な説明】
【００１２】
【図１】図１は本発明の自動車のヘッドライトのクリーニング装置の内部の整体構成模式図であり；
【図２】図２は図１の“A”の拡大模式図であり；
【図３】図３は図１の“B”の拡大模式図であり；
【図４】図４は図１の駆動ブロックの展開模式図である。
【発明を実施するための形態】
【００１３】
以下の図１−４を交えて本発明について詳しく説明する、便利に叙述するように、現在は後文に出る方位を下記の通りに規定する：後文に出る上下左右前後方向は図１本体の投影関係の上下左右前後方向と一致する。
【００１４】
図１−４を参考し、本発明の実施例の自動車のヘッドライトのクリーニング装置は、装置主体１１を含み、前記装置主体１１の中には回転チャンバ２１が設置されており、前記回転チャンバ２１の中には旋転ブロック２２が設置されており、前記旋転ブロック２２の中にはねじりばねチャンバ６１が設置されており、前記ねじりばねチャンバ６１の中にはねじりばねブロック６２が設置されており、前記ねじりばねブロック６２は前記回転チャンバ２１の内壁と固定的に接続され、前記ねじりばねブロック６２と前記ねじりばねチャンバ６１の間にはねじりばね５９が接続されており、前記旋転ブロック２２の中には伸縮チャンバ２３が設置されており、前記伸縮チャンバ２３の中には回転ブロック５３が設置されており、前記伸縮チャンバ２３の中にはクリーニング装置２０２が設置されており、前記伸縮チャンバ２３の下側壁の中には移動装置２０３が設置されており、前記伸縮チャンバ２３の上側壁の中には封閉装置２０４が設置されており、前記装置主体１１の一側の端面にはクリーニングする自動車のヘッドライト４２が設置されており、前記封閉装置２０４には前記自動車のヘッドライト４２をクリーニングするスプレー装置２０１が設置される。
【００１５】
有益なように、前記クリーニング装置２０２は前記回転ブロック５３の中に設置される推しチャンバ９９を含み、前記推しチャンバ９９の下側壁の中には上下に貫通のスロット５２が設置されており、前記スロット５２の中には支えブロック４３が設置されており、前記支えブロック４３の中には下方に開口した回転スロット４４が設置されており、前記回転スロット４４の上側壁の中にはクリーニングモーター４７が固定的に設置されており、前記クリーニングモーター４７の下端には廻りブロック４６が伝動できるように接続し、前記廻りブロック４６の両側端面にはクリーニングロッド４５が固定的に設置されており、前記クリーニングロッド４５の下端面にはブラシ４８が設置されており、前記支えブロック４３の一側の端面には推しロッド３５がヒンジで接続され、前記支えブロック４３の上端面にはスイングロッド３８がヒンジで設置されており、前記推しチャンバ９９の一側の内壁には昇降チャンバ３３が設置されており、前記昇降チャンバ３３の上側壁の中には翻転モーター３２が設置されており、前記翻転モーター３２の下端には昇降リードスクリュー３６が伝動できるように接続され、前記昇降チャンバ３３の中にスライドできるように前記昇降リードスクリュー３６と螺合接続される昇降ブロック３４が設置されており、前記昇降ブロック３４は前記推しロッド３５の上端と固定的に接続され、、前記推しチャンバ９９の上側壁の中には水平スライドチャンバ３９が設置されており、前記水平スライドチャンバ３９の中には水平リードスクリュー４１が設置されており、前記水平スライドチャンバ３９の中には前記水平リードスクリュー４１と螺合接続される水平スライドブロック３７がスライドできるように設置されており、前記スイングロッド３８の上端は前記水平スライドブロック３７の下端とヒンジで接続され、前記水平スライドチャンバ３９の一側の内壁において前記翻転モーター３２の上側には歯車チャンバ２４が設置されており、前記翻転モーター３２の上端には第一傘歯車３１が伝動できるように接続され、前記水平リードスクリュー４１の一端は前記歯車チャンバ２４の中に入り、且つ前記水平リードスクリュー４１の一端には前記第一傘歯車３１と噛合する第二傘歯車２９が固定的に接続される。
【００１６】
有益なように、前記移動装置２０３は前記伸縮チャンバ２３の下側壁の中に設置される移動スロット５４を含み、前記回転ブロック５３の下端面には前記移動スロット５４に伸びている移動ブロック５７が固定的に設置されており、前記移動スロット５４の一側の内壁の中には移動モーター５８が固定的に設置されており、前記移動モーター５８の一端には前記移動ブロック５７と螺合される移動リードスクリュー５５が伝動できるように接続されており、前記移動スロット５４の下側壁の中には推進スロット６６が設置されており、前記推進スロット６６の中には推進スライドブロック６３が設置されており、前記推進スライドブロック６３の一端と前記推進スロット６６の間には第一撥条６５が接続されており、前記推進スライドブロック６３の上端面には凸ブロック６４が接続されており、前記移動スロット５４の一側内壁の中には伝動チャンバ７３が設置されており、前記移動リードスクリュー５５のうち前記モーター５８から離れている一端には前記伝動チャンバ７３の中に伸びている伝動軸６７が固定的に接続されており、前記伝動軸６７の一端には前記伝動チャンバ７３の中で回転できる第三傘歯車７６が固定的に設置されており、前記第三傘歯車７６の下側には第四傘歯車７８が設置されており、前記第四傘歯車７８の一端には平歯車が同じ軸によって接続されており、その中に、前記回転チャンバ２１の円弧状内壁には前記平歯車７９と噛合できるリングギヤ８１が設置されており、前記伝動チャンバ７３のうち前記移動スロット５４から離れている一側内壁の中には移動スライドスロット７４が設けられ、前記移動スライドスロット７４の中には移動スライドブロック７５がスライドできるように設置されており、前記移動スライドブロック７５の一側端面には前記第四傘歯車７８と前記第三傘歯車７６とを接続できる第五傘歯車７７が回転できるように接続され、前記伝動チャンバ７３の上側壁の中には前記移動スライドスロット７４と同じのスリップスロット６８が設置されており、前記移動スライドブロック７５の一側の端面には前記スリップスロット６８の中で回転できる第一ラック７２が固定的に設置されており、前記スリップスロット６８の上側壁の中には回転スロット６９が設置されており、前記回転スロット６９の中には前記第一ラック７２と噛み合う歯車７１が設置されており、その中に、前記回転ブロック５３の下側壁には前記歯車７１と噛み合う第二ラック５６が設置されており。
【００１７】
有益なように、前記封閉装置２０４は前記伸縮チャンバ２３の上側壁の中に設置される駆動チャンバ８３を含み、前記駆動チャンバ８３の一側内壁の中には駆動モーター８２が固定的に設置されており、前記駆動チャンバ８３の中には駆動スライドブロック８５がスライドできるように設置されており、前記駆動モーター８２の一端には前記駆動スライドブロック８５とねじ山によって接続されるねじロッド８４が伝動できるように接続されており、前記駆動スライドブロック８５のうち前記駆動モーター８２から離れている一側において前記駆動チャンバ８３の中には駆動プッシュブロック８６がスライドできるように設置されており、前記駆動プッシュブロック８６には円弧状溝８７が設置されており、前記駆動チャンバ８３の上側壁には前記円弧状溝８７の中に伸びているガイドスライドブロック８８が固定的に設置されており、前記駆動プッシュブロック８６の下側端面には前記前記伸縮チャンバ２３の開口を封閉できるシール板４９が固定的に設置される。
【００１８】
有益なように、前記スプレー装置２０１は前記旋転ブロック２２の円弧状面に固定的に設置される固定ブロック２７を含み、前記固定ブロック２７の中には上方に開口した第一パイプ２８が設置されており、前記シール板４９のうち前記プッシュチャンバ９９に近接する一側には前記第一パイプ２８と繋がるスプレーヘッド５１が固定的に設置されており、前記回転チャンバ２１の上側壁の中には第二パイプ２６が設置されており、前記第二パイプ２６の中にはスイッチ２５が固定的に設置される。
【００１９】
初期状態に、推進スライドブロック６３が最大限度に回転チャンバ２１の中に移動し、支えブロック４３が開口溝５２の中に水平的に置かれ、シール板４９が伸縮チャンバ２３の開口を封じ、第五傘歯車７７が第四傘歯車７８及び第三傘歯車７６との噛合から外れる。
【００２０】
本装置の動作手順：駆動モーター８２が起動し、ねじロッド８４によって、駆動ブロック８５を推して移動させ、駆動プッシュブロック８６によって、シール板４９を推して伸縮チャンバ２３の開口の外にスライドさせ、ガイドスライドブロック８８の案内によって移動している駆動プッシュブロック８６を回転連動させ、これによりシール板４９を回転連動させてスプレーヘッド５１を上側に回転連動させ、この時スイッチ２５が開き、自動車ヘッドライト４２に水を吹き出し、同時に移動モーター５８が開き、移動リードスクリュー５５及び移動ブロック５７によってブロック５３を伸縮チャンバ２３の開口の外に移動連動させ、移動ブロック５７が移動する過程中に凸ブロック６４を押し動かして移動させ、第二ラック５６によって、歯車７１を回転連動させ、第一ラック７２によって移動スライドブロック７５を移動スロット５４の一側へ移動連動させ、第五傘歯車７７を第三傘歯車７６及び第四傘歯車７８に噛合連動させ、移動リードスクリュー５５が回転するときに回転軸６７によって第三傘歯車７６を回転連動させ、第五傘歯車７７によって平歯車７９を回転連動させ、旋転ブロック２２を回転チャンバ２１の中で回転連動させ、移動ブロック５７がスライドして回転軸６７に到着した時、回転軸６７は移動ブロック５７とスライドできるように接続させ、移動ブロック５７は移動しなくなり、移動リードスクリュー５５は回転し続き、旋転ブロック２２を回転チャンバ２１の中で回転連動させ、ブラシ４８を上側に回転連動させ、この時、翻転モーター３２が起動し、昇降ブロック３４及び水平スライドブロック３７によって支えブロック４３を開口溝５２の開口の外に移動して翻転連動させ、ブラシ４８が最上側に回転する時に、ブラシ４８は自動車ヘッドライト４２の一側端面と当接し、この時クリーニングモーター４７が回転し、ブラシ４８によって自動車ヘッドライト４２をクリーニングでき、翻転モーター３２が反転し、支えブロック４３を収納でき、移動モーター５８が反転し、移動ブロック５７を第一撥条６５の推力によって改めて移動リードスクリュー５５にねじ山によって接続し、第二ラック５６が移動する過程に、第三傘歯車７６及び第四傘歯車７８との接続から第五傘歯車７７を離脱させ、この時、ねじりばね５９の弾力によって、旋転ブロック２２が初期状態に反転し、駆動モーター８２が回転して駆動プッシュブロック８６を移動連動させてシール板４９を初期状態に反転連動させる。
【００２１】
本発明の有益の効果は：
【００２２】
本装置を使うときに、本装置は車体の外に伸び、自動車のヘッドライトの保護カバーに水を吹き出してクリーニングし、自動車のヘッドライトの保護カバーをこすって洗い、その後に水を吹き出してクリーニングし、クリーニング効果を保障し、同時に本装置は使わないときに車の内部に収まり、車体外観の美観性に影響なし、使用を勧めする。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。